(57)【特許請求の範囲】
【請求項１】
ディザ処理後の2値画像を変換マトリクスを用いたリアレンジ処理を経て圧縮する圧縮手段と、圧縮された画像を蓄積可能としたデータ蓄積手段と、該データ蓄積手段から取り出した画像を変換マトリクスを用いて元の2値画像に伸張する伸張手段を備えた画像形成装置であって、
2値画像のリアレンジ処理に用いるために設定された各種の変換マトリクスを前記データ蓄積手段に蓄積し、各蓄積画像の伸張時に圧縮時に用いた種別の変換マトリクスと同じ世代識別情報を有する変換マトリクスを前記データ蓄積手段から取り出して前記伸張手段で使用できるように設定する変換マトリクス管理手段を備えたことを特徴とする画像形成装置。
【請求項２】
請求項１に記載された画像形成装置において、前記変換マトリクス管理手段は、画像蓄積時に2値画像のリアレンジ処理に用いた変換マトリクスの種別情報を各蓄積画像に関連付けて前記データ蓄積手段に蓄積し、蓄積画像の伸張時に画像と関連付けて蓄積した種別の変換マトリクスを前記伸張手段に設定するようにしたことを特徴とする画像形成装置。
【請求項３】
請求項２に記載された画像形成装置において、前記変換マトリクス管理手段は、蓄積画像の伸張時に、前記伸張手段に設定されている変換マトリクスと蓄積画像に関連付けた変換マトリクスとの整合をチェックし、不整合時に、蓄積画像に関連付けて蓄積された変換マトリクス種別に設定を変更するようにしたことを特徴とする画像形成装置。
【請求項４】
請求項１乃至３のいずれかに記載された画像形成装置において、前記データ蓄積手段が当該画像形成装置に着脱可能な記憶媒体を備えた記憶手段であることを特徴とする画像形成装置。
【発明の詳細な説明】
【０００１】
【発明の属する技術分野】
本発明は、入力デジタル画像データを圧縮処理し、圧縮した画像データを蓄積する手段（例えば、ＨＤＤ等）を備えた複写機、プリンタ、ファクシミリ、等の画像形成装置に関し、より詳細には、ディザ処理後の2値画像の圧縮処理に用いる変換マトリクス（テーブル）を管理する機能を備え、圧縮した蓄積データを復元する時に、圧縮時に用いたテーブルの世代が異なっても、処理不能を起こすことがないようにした前記画像形成装置に関する。
【０００２】
【従来の技術】
デジタル複合機（複写、ファクシミリ、プリンタ等の機能を複合して持つ画像形成装置）と称して従来から知られている装置では、原稿画像読み取り部で読み取った画像データや外部から入力された画像データをデジタル化し、蓄積する大容量の記憶媒体を持つ記憶装置を備えている。この種の記憶装置には、一般に磁気ディスク装置（以下「ＨＤＤ（ハードディスクドライブ）」と記す）が使用される。
入力画像データは必要に応じてＨＤＤに蓄積され、ソート印刷などの一時退避データ、或いは蓄積後に再びユーザ操作により印刷要求があった場合などに用いられる。なお、ＨＤＤに画像データを蓄積する機能を以下、ローカルストレージと称する。
また、ＨＤＤに蓄積する際に、ディザ処理後の2値画像データは、圧縮処理によりデータ量を縮小して蓄積するようにしており、圧縮器にランレングス圧縮等のアルゴリズムによる処理を行わせる。
【０００３】
ところで、ディザ処理後の2値画像に対しランレングス圧縮によるアルゴリズムを用いて圧縮を行う場合に、圧縮率を向上させ、高速処理を実現するために、適応的リアレンジ方式(以下，ARM：Adaptive Re-arranging Methodと略記する)なる２値画像変換方式が先に提案、出願（特願2000-18214）されている。
ARMは、主にプリンタ用の高効率2値画像変換方式として、圧縮器の前段に組み込まれ，ディザ処理後の2値画素を一定の画素単位で適応的に並び替える処理を行ない（以下、ＡＲＭを用いた圧縮処理を「リアレンジ処理」と記す）リアレンジにより、引き続いて行うランレングス圧縮処理の効率化を図る。リアレンジ処理には変換マトリクス（リアレンジマトリクスと称する）を用いる。リアレンジマトリクスは、前段のディザ処理（2値画像への変換）に使用するディザマトリクスに基づいて作成され、リアレンジテーブルの形をとる。
印刷時には、リアレンジ処理されＨＤＤに蓄積された画像を取りだし、元の2値画像を復元するが、この時、圧縮で用いたリアレンジテーブルを用いて伸張する必要がある。従来、リアレンジテーブルとしてＲＯＭ上に保持しているのは、現在、蓄積（圧縮）時に使用している最新のリアレンジテーブルだけである。従って、蓄積画像の復元（伸張）時にも、蓄積（圧縮）時に用いている最新のテーブルを用いることになる。
【０００４】
【発明が解決しようとする課題】
しかしながら、ディザマトリクスから作成されるリアレンジテーブルはディザマトリクスとともに進化し、世代が変わるので、ローカルストレージに画像が蓄積されている状態でリアレンジテーブルデータが更新される（世代が変わる）場合があり、世代が変わると、ローカルストレージに蓄積された画像に、以前の世代のテーブルによりリアレンジ処理された画像が存在することになる。従って、前の世代のテーブルによりリアレンジ処理された画像を印刷に使用する時に、ＲＯＭに現在保持されている最新のリアレンジテーブルを用いても、圧縮時に使用した世代のリアレンジテーブルと異なるので、画像の復元（伸張）できなくなるという問題が生じた。
本発明は、上記した従来技術の問題点に鑑みてなされたものであって、その目的は、ディザ処理後の2値画像を変換マトリクスを用いたリアレンジ処理を経て圧縮し、圧縮した画像データを蓄積する手段を備えた画像形成装置（例えば、複写機、プリンタ、ファクシミリ、等）において、リアレンジ処理に用いた変換マトリクス（テーブル）を管理する機能を備え、圧縮した蓄積データを復元（伸張）する時に使用するテーブルの世代が異っても、適合する変換マトリクス（テーブル）を用意できるようにし、伸張処理の不能を起こすことがないようにした前記画像形成装置を提供することにある。
【０００５】
【課題を解決するための手段】
請求項１の発明は、ディザ処理後の2値画像を変換マトリクスを用いたリアレンジ処理を経て圧縮する圧縮手段と、圧縮された画像を蓄積可能としたデータ蓄積手段と、該データ蓄積手段から取り出した画像を変換マトリクスを用いて元の2値画像に伸張する伸張手段を備えた画像形成装置であって、2値画像のリアレンジ処理に用いるために設定された各種の変換マトリクスを前記データ蓄積手段に蓄積し、各蓄積画像の伸張時に圧縮時に用いた種別の変換マトリクスと同じ世代識別情報を有する変換マトリクスを前記データ蓄積手段から取り出して前記伸張手段で使用できるように設定する変換マトリクス管理手段を備えたことを特徴とする画像形成装置である。
【０００６】
請求項２の発明は、請求項１に記載された画像形成装置において、前記変換マトリクス管理手段は、画像蓄積時に2値画像のリアレンジ処理に用いた変換マトリクスの種別情報を各蓄積画像に関連付けて前記データ蓄積手段に蓄積し、蓄積画像の伸張時に画像と関連付けて蓄積した種別の変換マトリクスを前記伸張手段に設定するようにしたことを特徴とする画像形成装置である。
【０００７】
請求項３の発明は、請求項２に記載された画像形成装置において、前記変換マトリクス管理手段は、蓄積画像の伸張時に、前記伸張手段に設定されている変換マトリクスと蓄積画像に関連付けた変換マトリクスとの整合をチェックし、不整合時に、蓄積画像に関連付けて蓄積された変換マトリクス種別に設定を変更するようにしたことを特徴とするものである。
【０００８】
請求項４の発明は、請求項１乃至３のいずれかに記載された画像形成装置において、前記データ蓄積手段が当該画像形成装置に着脱可能な記憶媒体を備えた記憶手段であることを特徴とする画像形成装置である。
【０００９】
【発明の実施の形態】
本発明の画像形成装置を添付する図面を参照して示す以下の実施例に基づき説明する。
図１は本発明の画像形成装置に係わる一実施例としてのデジタル複写機を示す概略構成図である。
先ず、図１を参照して、ユーザーにより指示された設定条件に依り、読み取り部２００で原稿を読み取り、得た画像データを画像処理部（ＩＰＵ：イメージプロセッシングユニット）４０１で処理し、生成した作像用のデータにより像形成部３００で記録用紙に再生（複写）画像をプリントする、という複写機としての一連のコピー処理過程に従い、本例のデジタル複写機１００の装置構成及びその動作の概要を説明する。
デジタル複写機１００の上面部には、複写機に対してユーザーが希望の動作モード等、各種の設定・指示を与えるための操作部と、ユーザーに対して複写機の設定条件や動作状態などを装置側から報知するための表示部とを備えた操作・表示部４０６を設ける。操作・表示部４０６上のスタートボタンがユーザーにより押下操作されると、デジタル複写機１００がコピー処理を開始する。
読み取り部２００では、原稿台（コンタクトガラス）２０１上に載置された原稿Ｄを、原稿台２０１の下面に沿って移動する露光ランプ２０２によってスキャン露光しながら、原稿面からの反射光をＣＣＤイメージセンサ２０３によって光電変換することにより、光の強弱に応じた画像信号を生成する。ＣＣＤイメージセンサ２０３の出力信号は、信号処理ユニット２０４に入力され、増幅器で所定の電圧振幅に増幅した後、Ａ／Ｄ変換回路でデジタルデータに変換する。信号処理ユニット２０４の信号処理の過程でシェーディング補正等の補正を信号に施す。信号処理ユニット２０４で処理された画像データを画像同期信号と共に画像処理部（ＩＰＵ：イメージプロセッシングユニット）４０１に入力する。
【００１０】
スキャナー制御部２０５は、読み取り部２００の上記したプロセスを実行するために、各種センサからの検知信号の監視及び検知信号に応じたスキャン駆動モータ等の制御を行い、又、信号処理ユニット２０４のシェーディング処理部及びＩＰＵ４０１に対して各種パラメータの設定処理を行う。
ＩＰＵ４０１では、信号処理ユニット２０４からの入力画像データに対し、２次元リアルタイム変倍処理、文字、線字画像等の解像力をあげるＭＴＦ補正、信号ノイズを除去し、写真等の再現性をあげる平滑化処理などを行う空間フィルタ処理、及び、濃度設定機能に応じたγ補正処理、画質設定機能に応じて中間調処理等を行う階調処理を行う。
また、ＩＰＵ４０１は、処理の一環として、外部から着脱可能な大容量の記憶媒体を持つ読み出し・書き込み可能な記憶部（例えば、ＨＤＤ等）４０２にシステム制御部４０５と協働して入力画像データを蓄積（ローカルストレージ）し、ローカルストレージしたデータをソート印刷などの一時退避データとして用いたり、或いは蓄積後に再びユーザ操作により印刷要求があった場合などに用いる。ここでは、記憶部４０２へ蓄積する画像データに圧縮を掛ける（復元時には伸長する）ので、そのための処理機能及び記憶部４０２に対するアクセス制御機能を備えたメモリ制御ユニット４０９を設ける。
【００１１】
像形成部３００では、ＩＰＵ４０１からの画像データが書込部３０１へ送られる。書込部３０１は、レーザ光源を内蔵しており、ＩＰＵ４０１からの画像データによってレーザ光源を変調しながら、光源から発するレーザビームにより帯電チャージ３０２によって一様に帯電された一定速度で回転する感光体３０３の表面を走査する。これにより感光体３０３には原稿画像に対応する静電潜像が形成される。この感光体３０３上の静電潜像を現像装置３０４によりトナーで現像することにより可視像が得られる。そして、予め給紙コロ３０５によって給紙トレイ３０６Ａ〜３０６Ｄより給紙搬送され、レジストローラ３０７に当接し、待機していた転写紙（図示省略）を、感光体３０３の回転に合わせてレジストローラ３０７を駆動させることにより転写位置に搬送し、転写チャージャ３０８によって感光体３０３上のトナーを転写紙に静電転写する。その後、分離チャージャ３０９によって転写紙を感光体３０３より分離させ、転写紙上のトナー像を定着装置３１０により加熱定着させ、排紙コロ３１１により排紙トレイ３１２上に排紙する。一方、静電転写後、感光体３０３上に残留しているトナーはクリーニング装置３１３により除去され、感光体３０３は除電チャージャ３１４により除電される。プロッタ制御部３１５は、以上の像形成部３００のプロセスを実行するために、各種センサからの検知信号の監視及び検知信号に応じた駆動モータ等の制御を行う。
システム制御部４０５は、スキャナ制御部２０５、プロッタ制御部３１５、を含め複写機全体を制御するためのオペレーティングシステムを構成する。システム制御部４０５では、オペレーティングシステムを構成するためのプログラムやデータを内蔵するＲＯＭに格納するとともに、オペレーティングシステムが使用するデータを必要に応じ格納しておくように、外部から着脱可能な大容量の記憶媒体を持つ読み出し・書き込み可能な記憶部（例えばＨＤＤ等）４０２にそのための領域を持つ。
【００１２】
次に、上記した入力画像データのローカルストレージ、即ち外部から着脱可能な大容量の記憶媒体を持つ記憶部４０２に蓄積する処理に関し、詳細に説明する。
ローカルストレージの際、外部から着脱可能な大容量の記憶媒体を持つ記憶部４０２としてのＨＤＤに蓄積される入力画像データには、上述したように、圧縮が掛けられる。この圧縮は、入力画像がディザ処理後の2値画像である場合に、変換マトリクスを用いたリアレンジ処理を経て、ランレングス圧縮を掛ける（特願2000-18214、参照）。蓄積画像を利用するときには、元の2値画像への復元を行うために伸長されるが、この時に圧縮時に用いたと同一の変換マトリクスを用いる必要がある。
こうしたリアレンジ処理に用いる変換マトリクスは、リアレンジテーブルの形で実装することができ、ディザ処理に用いるマトリクスと連携しており、ディザマトリクスの変更（世代交代）に伴い、リアレンジテーブルも更新しなければならない。本発明では、圧縮した蓄積データを復元（伸張）する時に使用するリアレンジテーブルの種別（世代）が、現在蓄積（圧縮）に使用するためにロードしている最新のテーブルと異っても、伸張処理の不能を起こすことがないように適用可能なテーブルを用意し得るようにし、テーブルの世代の違いに適応できなかった従来の問題点を解決するものである。
【００１３】
解決手段として、本発明では、圧縮時に使用したリアレンジテーブルをＨＤＤにファイルとして蓄積しておくことにより、伸張時、現在ＲＯＭ上にロードしているリアレンジテーブルと異なる世代のテーブルデータが必要となった場合に、ＨＤＤから取り出せるようにする。
また、かかる世代の管理（なお、この実施例では、管理するテーブルデータ種別を世代とするので、以下、テーブルデータ種別を世代という）、即ち復元（伸張）時に用いるテーブルを蓄積画像に関連づけて管理するために、リアレンジテーブルデータのファイルと、蓄積（圧縮）した画像データにリアレンジテーブルの世代を識別する情報（例えば、世代番号）を付加する。リアレンジテーブルと蓄積画像データを世代識別情報により管理することにより、伸張時に使用するテーブルの世代の整合性を判断し、整合しない場合には、ＨＤＤに蓄積されたリアレンジテーブルデータから世代識別情報により画像データの伸張に必要なリアレンジテーブルをＨＤＤに蓄積されたリアレンジテーブルデータファイルから伸張部にロードすることによって処理を可能にするものである。
【００１４】
図２は、リアレンジテーブルをＨＤＤにファイルとして蓄積するようにしたローカルストレージ処理に係わるシステムの実施例を示す。
図２は、かかるローカルストレージ処理に係わる要部を示すもので、ＨＤＤ５０１（図１の記憶部４０２）と主記憶装置５０５（図１のメモリ制御ユニット４０９内蔵のメモリ）、及びＲＯＭ５０２（図１のシステム制御部４０５内蔵のＲＯＭ）の相互関係を示したブロック図である。
メモリ制御ユニット４０９の圧縮・伸長部で通常使用する最新のリアレンジテーブルデータ５０３はシステム制御部４０５内蔵のＲＯＭ５０２上のファイルとして存在しており、デジタル複写機１００の電源投入時にデフォルト設定として、ＲＯＭ５０２のリアレンジテーブルデータ５０３からメモリ制御ユニット４０９のワークメモリ領域（図示省略）にマッピングし、圧縮・伸長部における処理に使用する。
入力画像のローカルストレージに用いるＨＤＤ５０１では、ローカルストレージにより使用される領域５０８とデジタル複写機１００の制御を行うためのオペレーティングシステムにより使用される領域５０７とに分割し、それぞれのデータのアクセスをメモリ制御ユニット４０９やシステム制御部４０５により行う。
【００１５】
図３は、上記したシステムおけるリアレンジテーブルのＨＤＤへの蓄積処理に係わるフローチャートである。
この処理は、ＨＤＤに画像を蓄積するときに行うリアレンジ処理によるデータの圧縮に利用するリアレンジテーブルについても、テーブル識別情報（テーブルに付けられている世代番号）を用いたファイル名を付けてＨＤＤに蓄積し、各世代のテーブルを管理し、蓄積画像の復元（伸長）時に適合するテーブルを用意し、復元の不能を無くすようにするものである。
図３を参照してこの処理の手順を説明する。先ず、電源投入時にデフォルト設定データとしてシステム制御部４０５内蔵のＲＯＭ５０２に格納されているリアレンジテーブルデータ５０３のファイルから、このリアレンジテーブルに付加されている世代番号を取得する（Ｓ３１）。
次に、ステップＳ３１の処理によって得た世代番号を所定のファイル名に付加することによって、ＲＯＭ５０２に格納されているリアレンジテーブルデータ５０３をＨＤＤ５０１に蓄積する際のファイル名を作成する（Ｓ３２）。ここで作成したファイル名の世代番号によって、テーブルデータ５０３のファイルの内容を参照することなくリアレンジテーブルの世代を知ることができるようになる。この後、ステップＳ３２で作成されたファイル名でＨＤＤ５０１にＲＯＭ５０２に格納されているリアレンジテーブルデータ５０３を蓄積するが、この時、テーブルデータ５０３はＨＤＤ５０１のオペレーティングシステム領域５０７に蓄積する。一方、圧縮された画像データは、ＨＤＤ５０１のローカルストレージ領域５０８に蓄積するが、この画像データには圧縮時に用いたリアレンジテーブルの世代番号を付与して蓄積する。
【００１６】
図３のフローでは、リアレンジテーブルデータ５０３をＨＤＤ５０３に蓄積する際、ＨＤＤ５０３に蓄積したリアレンジテーブルデータ５０３のファイル名を記載したファイルのオープンを試みて、その中に、ステップＳ２２で作成されたファイル名と同一名のファイルが存在するか否かをチェックする（Ｓ３３）。
チェックの結果、同名のファイルがすでにオペレーティングシステム領域５０７に存在する場合（Ｓ３３-YES）、同世代のリアレンジテーブルデータが存在するものとして、蓄積処理を終了する。他方、同名のファイルが存在しない場合（Ｓ３３-NO）、システム制御部４０５内蔵のＲＯＭ５０２のリアレンジテーブルデータ５０３と同世代のリアレンジテーブルデータがＨＤＤ５０１に蓄積されていないと判断し、リアレンジテーブルデータ５０３をＨＤＤ５０１のオペレーティングシステム領域５０７へ蓄積する（Ｓ３４）。
【００１７】
図４は、上記したシステムおけるリアレンジテーブルの設定変更を可能とした蓄積画像の復元（伸長）処理に係わるフローチャートである。
この処理は、蓄積画像に適用するリアレンジテーブルの設定を圧縮時と同一にし、伸長画像の復元不能を生じないようにするものである。なお、この復元時の処理を行うための前提として、蓄積（圧縮）時に用いたリアレンジテーブルの管理に係わる上記実施例に示した処理、即ち、使用したリアレンジテーブルのＨＤＤ５０１のオペレーティングシステム領域５０７への蓄積、及び蓄積された画像への使用テーブル世代番号の付与、が行われている必要がある。
図４を参照してこの復元（伸長）時の処理手順を説明する。先ず、ＨＤＤ５０１のローカルストレージ領域５０８に蓄積された画像を印刷する場合は、一旦、蓄積画像データをローカルストレージ領域５０８から主記憶装置５０５（図１のメモリ制御ユニット４０９内蔵のメモリ）上のＳｔｏｒｅ Ｍｅｍｏｒｙ領域５０６に取り出す（Ｓ４１）。取り出された後に、Ｓｔｏｒｅ Ｍｅｍｏｒｙ領域５０６上の圧縮画像データは、そこに保持されている圧縮時に用いたリアレンジテーブルの情報として画像に付加されたテーブル世代番号を取得する（Ｓ４２）。
【００１８】
その後、画像データを伸張する際に、メモリ制御ユニット４０９のワークメモリ領域（図示省略）にマッピングされているリアレンジテーブル（通常、ＲＯＭ５０２に格納されている最新世代のテーブルリアレンジテーブルデータ５０３が起動時にデフォルト設定される）の世代番号と圧縮されている画像データが圧縮時に使用したリアレンジテーブルの世代番号を比較する（Ｓ４３）。
比較した結果、リアレンジテーブルの世代番号が異なっている場合には（Ｓ４３−不一致）、復元（伸長）するために取り出した画像データは通常使用される最新のリアレンジテーブルより古い世代のリアレンジテーブルを用いて圧縮されたと判断し、取り出した蓄積画像に付加されたテーブル世代番号に基づいて、ファイル名にテーブル世代番号を付け、ＨＤＤ５０１のオペレーティングシステム領域５０７に蓄積されている各世代のテーブルのファイルを検索し、蓄積されているリアレンジテーブルデータの中から、同じ世代番号のリアレンジテーブルデータをワークメモリ上にマッピングすることにより、設定テーブルを復元（伸長）する画像に整合するテーブルに変更する（Ｓ４４）。
次いで、設定変更したリアレンジテーブルを用いることによって、画像データの伸張を行い（Ｓ４５）、処理を終了する。
他方、ステップＳ４３の比較結果として、リアレンジテーブルの世代番号が同一である場合には（Ｓ４３−一致）、復元（伸長）するために取り出した画像データは通常使用される最新のリアレンジテーブルを用いて圧縮されたと判断し、上記ステップＳ４４の設定変更を行うことなく、直ちに現在設定されているリアレンジテーブルを用いることによって、画像データの伸張を行い（Ｓ４５）、処理を終了する。
【００１９】
【発明の効果】
（１）請求項１〜３の発明に対応する効果
2値画像のリアレンジ処理に用いるために設定された各種の変換マトリクス（テーブル）を蓄積し、各蓄積画像の伸張時に圧縮時に用いた種別の変換マトリクスを伸張手段に、圧縮時に用いた種別の変換マトリクスと同じ世代識別情報を有する変換マトリクスを前記データ蓄積手段から取り出して前記伸張手段で使用できるように設定する変換マトリクスの管理を行うようにしたことにより、伸張手段に設定されている変換マトリクスの種別（例えば、世代）が変わっても、圧縮画像の復元（伸張）時に適合する変換テーブルを取り出して設定変更を行うことが可能になり、復元不能を起こすことがなく、変換マトリクスの種別の違いに適応できなかった従来の問題点を解消できる。
また、変換マトリクスの種別情報を各蓄積画像と関連付けてデータ蓄積手段に蓄積し、各蓄積画像の伸張時に画像と関連付けて蓄積した種別の変換マトリクスを伸張手段に設定可能としたことにより、圧縮画像の復元（伸張）時に用いる変換マトリクスを管理するための処理を簡単にし、発明を容易に実施することが可能になる。
（２）請求項４の発明に対応する効果
上記（１）の効果に加えて、データ蓄積手段を当該画像形成装置に着脱可能な記憶媒体を備えた記憶手段としたことにより、記憶媒体として、例えばＨＤＤのような大容量の記憶手段を採用すること、さらに、他の画像形成装置によって作成されたデータを利用することが可能になり、画像形成装置の高パフォーマンスを図ることが可能になる。
【図面の簡単な説明】
【図１】  本発明の画像形成装置に係わる一実施例としてのデジタル複写機を示す概略構成図である。
【図２】  リアレンジテーブルをＨＤＤにファイル蓄積するローカルストレージ処理に係わるシステムの実施例を示す。
【図３】  電源投入時に行うリアレンジテーブルのＨＤＤへの蓄積処理に係わるフローチャートである。
【図４】  リアレンジテーブルの設定変更を可能とした蓄積画像の復元（伸長）処理に係わるフローチャートである。
【符号の説明】
１００…デジタル複写機、        ２００…読み取り部、
３００…像形成部、
４０１…画像処理部（ＩＰＵ：イメージプロセッシングユニット）、
４０２…記憶部、                ４０５…システム制御部、
４０６…操作部、                ４０９…メモリ制御ユニット、
５０１…ＨＤＤ（ハードディスクドライブ）、
５０２…ＲＯＭ、                ５０３…リアレンジテーブルデータ、
５０５…主記憶装置。
【図１】
0004136335.tif 000002
【図２】
0004136335.tif 000003
【図３】
0004136335.tif 000004
【図４】
0004136335.tif 000005